(57)【要約】【課題】受信状態の変化を映像・音声出力状態の変化に呼応してユーザに提示できる放送受信装置を提供する。【解決手段】放送データを受信する受信手段と、受信した放送データを一時的に記憶するメモリと、メモリに記憶された放送データを解析して、受信手段による放送データの受信状態を判定する判定手段と、判定手段で判定された受信状態を出力する出力手段と、を備える。判定手段は、メモリに記憶された放送データのデータ量に基づいて、受信手段による放送データの受信状態を判定してもよい。また、判定手段は、メモリに記憶された放送データに含まれる提示時刻情報を解析して、受信手段による放送データの受信状態を判定してもよい。【選択図】図２
2006319862.tif 000002
【特許請求の範囲】
【請求項１】
放送データを受信する受信手段と、
前記受信した放送データを一時的に記憶するメモリと、
前記メモリに記憶された放送データを解析して、前記受信手段による放送データの受信状態を判定する判定手段と、
前記判定手段で判定された受信状態を出力する出力手段と、
を備える放送受信装置。
【請求項２】
放送データを受信する受信手段と、
前記受信した放送データに誤りがあるかどうかを検出する誤り検出手段と、
前記誤り検出手段で誤りがないと判断された放送データを一時的に記憶するメモリと、
前記メモリに記憶された放送データのデータ量に基づいて、前記受信手段による放送データの受信状態を判定する判定手段と、
前記判定手段で判定された受信状態を出力する出力手段と、
を備える放送受信装置。
【請求項３】
再生すべき時刻を示す情報である提示時刻情報を含む放送データを受信する受信手段と、
前記受信した放送データを一時的に記憶するメモリと、
前記メモリに記憶された放送データに含まれる提示時刻情報を解析して、前記受信手段による放送データの受信状態を判定する判定手段と、
前記判定手段で判定された受信状態を出力する出力手段と、
を備える放送受信装置。
【請求項４】
再生すべき時刻を示す情報である提示時刻情報を含む放送データを受信する受信手段と、
前記受信した放送データに誤りがあるかどうかを検出する誤り検出手段と、
前記誤り検出手段で誤りがないと判断された放送データを一時的に記憶するメモリと、
前記メモリに記憶された放送データに含まれる提示時刻情報を解析して、前記メモリに記憶された放送データのデータ量と前記提示時刻情報とに基づいて、前記受信手段による放送データの受信状態を判定する判定手段と、
前記判定手段で判定された受信状態を出力する出力手段と、
を備える放送受信装置。
【請求項５】
前記出力手段は、前記判定された受信状態を映像として表示する表示手段である、
請求項１〜４のいずれかに記載の放送受信装置。
【請求項６】
前記出力手段は、前記判定された受信状態を音声として出力するスピーカーである、
請求項１〜４のいずれかに記載の放送受信装置。
【請求項７】
前記出力手段は、前記判定された受信状態が変化するときに自装置を振動させる振動手段である、
請求項１〜４のいずれかに記載の放送受信装置。
【請求項８】
前記出力手段は、前記判定された受信状態が変化するときに光を発する発光手段である、
請求項１〜４のいずれかに記載の放送受信装置。
【発明の詳細な説明】
【技術分野】
【０００１】
本発明は、アナログ放送に換え、ディジタル放送に対応する携帯型の放送受信装置に関するものである。
【背景技術】
【０００２】
近年、ディジタル映像・音声で構成されたディジタルコンテンツを衛星から、また、地上の各中継局、放送局から放送するディジタル化されたメディアサービスが本格化してきている。また、半導体技術の進化により、上記メディアサービス用の軽薄短小な携帯型の放送受信装置の実用化が可能となってきた。
【０００３】
受信状態（受信レベル）をわかりやすくユーザに提示することは、電波を用いた携帯型の機器においては必須の機能ある。既に、電波を用いた携帯型の機器として普及している携帯電話でも、通話を行うのに必要な電波の受信レベルを示す３本バーの表示が、機種を問わず共通的に使われている。
【０００４】
携帯電話と同様な考えで携帯型の放送受信装置でも、受信レベルの判定、ユーザに対する受信電波の受信レベルの提示が構成できることから、上記携帯電話での受信レベルの判定方法を従来例として説明する（例えば、特許文献１参照）。
【０００５】
図９は、一般的な携帯電話機器の構成を示したものである。電波を受信する受信手段１、電話番号や携帯電話自身のソフトウェアを記憶するメモリ２、さらに、機器の制御情報、音声の出力を行う出力手段４を含む。なお、受信手段１は、基地局から電波を受けるアンテナと、アンテナで受けた電波を復調可能な周波数帯に変換し、必要な帯域を取り出す受信部、受信信号の変復調部、変復調信号を処理するベースバンド信号処理部から実現される。携帯電話が受けた受信信号は、受信手段の中のアンテナより入力され、受信部にて、必要な帯域に制限され、必要な周波数に変換されてから変復調部へと送られる。入力電力が変復調部の内部のＲＳＳＩ回路により電圧量に変換され、ベースバンド部にてアナログ／ディジタル変換が行われる。判定手段３は、入力電力の強度（電圧）をメモリ２に記憶されている基準レベルと比較して、受信レベル：電界表示のバーマーク（バー本数）を決定する。決定されたマークを出力手段４にて表示する。
【０００６】
図１０は、出力手段４における受信レベルの表示例、表示の意味を示している。図１０（ａ）における点線の円で囲まれた部分は、受信レベルの表示例である。棒タイプの表示バーにて表示している。図１０（ｂ）は、各受信レベルの表示と、基準レベルである電界強度（受信入力電界の強さ）の対応を示している。このように、携帯電話では、受信した電波の電界強度に応じて、ユーザに受信レベルを提示する。
【特許文献１】特開２００２−５１１１９号公報
【発明の開示】
【発明が解決しようとする課題】
【０００７】
本発明の放送受信装置では、上述した携帯電話と同様に電界強度を用いた基準レベルを定め、その基準レベルとの比較で受信レベルを判定することも考えられるが、この判定では下記に示す課題がある。
【０００８】
ディジタル放送では、放送データ：映像・音声データを圧縮して、放送局、中継局から送信している。そのため、放送受信装置側で、放送データを機器の中に、一旦、蓄積して、圧縮された映像・音声データの分離、圧縮された映像・音声データの伸張を行う。そして、放送データに含まれている提示時間情報に従い、その提示時間に、伸張された映像・音声データをユーザに提示するように、放送受信装置内で処理が行われる。
【０００９】
つまり、携帯電話と同様に電波の電界強度にて、放送受信装置の受信レベルを実時間でユーザに表示しても、放送受信装置内に蓄積されたものから出力されるため、電界強度の受信レベル悪化表示が、映像・音声の出力悪化として、すぐには、ユーザに提示されない。
【００１０】
これでは、受信レベルの表示状態と実際の放送データのユーザへの提示状態の時間的な関連性がユーザに理解しにくいものとなる。
【００１１】
例えば、この受信レベルの判定では、放送受信装置出力手段に「圏外」と表示されていても、しばらくは映像・音声が出力されることが起こりうる。
【００１２】
本発明は、懸かる課題に鑑みてなされたものであり、その目的は、ディジタル放送の放送受信装置における映像・音声データの提示状態と、受信レベルの表示状態が、矛盾することなくユーザに提示できるようにするものである。
【課題を解決するための手段】
【００１３】
上記課題を解決するため、本発明の放送受信装置では、放送データを一時的に記憶するメモリと、放送データの受信状態を判定する判定手段と、を含む。
【発明の効果】
【００１４】
本発明の放送受信装置では、判定手段にて、メモリに記憶した放送データ量、または、放送データ内の映像音声の提示時間情報の取得状況から受信レベルを決定している。そのため、受信レベルが低い場合は、放送データ量が少ない状態、または、提示時間情報の間隔が大きく開いている状態、提示時間取得情報の取得率が悪い状態であり、映像のこま落ち、音声の途切れ等、出力手段４にて映像・音声をユーザに提示するのに何らかの障害が発生している。このように、放送データのユーザへの提示状態と受信レベルの提示状態に矛盾が起きないという利点がある。
【発明を実施するための最良の形態】
【００１５】
本発明の放送受信装置における放送データと受信レベルの提示状態が矛盾することなくユーザに提示するという目的に対して、下記に示すように最小の手段の追加、制御方法の変更により実現した。
【００１６】
以下、本発明の実施の形態について、図面を参照しながら説明する。
【００１７】
（実施の形態１）
図１は、本発明の実施の形態１における放送受信装置の構成図である。図１において、１は受信手段である。受信手段１は、携帯と同様に、アンテナ、受信部、変復調部、ベースバンド部で実現されている。２はメモリである。メモリ２には、受信手
段１にて受信した放送データ、放送データから分離した提示時間情報、圧縮された映像・音声データ、伸張した映像・音声データ、後述する判定手段３で用いられる受信レベルを決定する基準レベル値、および、装置の制御ソフトウェアを記憶する。３は判定手段である。後述する図２のフローチャートに従った判定方法で放送受信装置の受信レベルの判定を行う。４は出力手段である。小型液晶、スピーカー、ヘッドホンジャックで実現され、映像、音声を出力する。また、受信レベルのバー表示も小型液晶上に映像と合成し、出力する。
【００１８】
図２は、図１の判定手段３での判定方法を示したフローチャートである。
【００１９】
図３は、図２のフローチャートで用いられるバー表示と基準レベルの閾値の対応付けを示したものである。図３に示した基準レベルに応じて受信レベルのバー表示が出力手段４に表示される。
【００２０】
図４は、時間の経過とともに、メモリ２での放送データの蓄積量の変化を示したものである。また、放送データの蓄積量の変化に応じて、受信レベル：バー表示の数がどのように変わったかも、基準レベルとの関係もあわせて示している。
【００２１】
図４では、Ｔｎ＋１からメモリ２内に蓄積されている放送データ量が急激に減り始め、Ｔｎ＋９では、ほぼ、蓄積している放送データが無い状態となっている。
【００２２】
図４に示したようにメモリ２の放送データの蓄積量が変移した時、図２に示したフローチャートにてどのように受信レベルのバー表示、映像、音声が出力手段４からユーザに提示されるかを説明する。
【００２３】
説明するポイントとして、Ａ（Ｔｎ＋２）時点、Ｂ（Ｔｎ＋８）時点をとりあげる。
Ａ時点は、受信手段１にて受信した電波の電界強度が下がり始め、しばらくして、メモリ２内に蓄積されている放送データも、基準レベル１を下回り初めたことを示している。
【００２４】
Ｂ時点は、受信手段１にて受信した電波の電界強度がほとんど所定の強度がもてていなくメモリ２に蓄積されている放送データをほぼ使いきろうしている時点を示している。
【００２５】
Ａ時点のバー表示制御：
Ｓ２０１：時間Ｔｎ＋２時点でメモリ２に蓄積している放送データ量を測定する。
Ｓ２０２：メモリ２に記憶されている図３に示した閾値とＳ２０１にて測定したメモリ２内に蓄積されている放送データ量を比較する。
Ｓ２０３：基準レベル１より下回っている。Ｓ２０４へ
Ｓ２０４：基準レベル２を満たしている。Ｓ２１１へ
Ｓ２１１：バー表示を２本とする。Ｓ２０８へ
Ｓ２０８：出力手段４：小型液晶表示上に図３に示した表示内容：バー２本を表示する。Ｓ２０９へ
Ｓ２０９：受信表示が継続されているため、Ｓ２０１に制御ループを戻す。
【００２６】
Ｂ時点のバー表示制御：
Ｓ２０１：時間Ｔｎ＋８時点でメモリ２に蓄積している放送データ量を測定する。
Ｓ２０２：メモリ２に記憶されている図３に示した閾値とＳ２０１にて測定したメモリ２内に蓄積されている放送データ量を比較する。
Ｓ２０３：基準レベル１より下回っている。Ｓ２０４へ
Ｓ２０４：基準レベル２より下回っている。Ｓ２０５へ
Ｓ２０５：基準レベル３より下回っている。Ｓ２０６へ
Ｓ２０６：基準レベル４を満たしている。Ｓ２１３へ
Ｓ２１３：バー表示を０本とする。Ｓ２０８へ
Ｓ２０８：出力手段４：小型液晶表示上に図３に示した表示内容：バー表示をなくす。Ｓ２０９へ
Ｓ２０９：受信表示が継続されているため、Ｓ２０１に制御ループを戻す。
【００２７】
このように本発明によれば、従来のように電界強度により受信レベル表示した場合と比べ、出力手段４に映像・音声を出力している状況に応じて、受信レベルが表示されている。つまり、映像・音声の出力状態が悪い時は、受信レベルの表示も悪いことを示すことが可能となる。
【００２８】
なお、図３に示した閾値は、一例であり、装置の構成を踏まえ、他の閾値にて判断してもよい。また、ユーザに受信状態を、小型液晶にて知らせたが、スピーカーを用い音声にて知らせる、自装置の振動にて知らせる、発光にて知らせてもよい。
【００２９】
（実施の形態２）
本発明の実施の形態における放送受信装置の構成は、実施の形態１と同様な構成をとっている。ただ、判定方法が異なることから、メモリ２に蓄積した放送データから映像・音声の出力手段４への提示時刻情報（ＰＴＳ）を取得し、後述する連続性評価値を判定手段３にて計算している。
【００３０】
図５は、図１の判定手段３での判定方法を示したフローチャートである。図６は、図５のフローチャートで用いられるバー表示と基準レベルの対応付けの例を示したものである。図６に示した基準レベルに応じて受信レベルのバー表示が出力手段４に表示される。
【００３１】
図７は、時間とともに、判定手段３にて計算した連続性評価値の変化を示したものである。また、上記、提示時刻情報の連続性評価値の変化に応じて、受信レベル：バー表示の数の変化を基準レベルとの関係とあわせて示している。なお、連続性評価値は、下記のような計算で求めることとする。
【００３２】
単位時間あたりの映像にかかわる提示時刻情報数を１５個／秒とし、この値を母数として、連続して欠落した提示時刻情報数にて下記の式にて計算する。連続性評価値：α＝（１−（単位時間あたりの連続して欠落した提示時刻情報数）／１５）＊１００
単位時間あたりの連続して欠落した提示時刻情報数が、１個の場合は、α＝（１−１／１５）＊１００＝９３．３となり、５個の場合は、α＝（１−５／１５）＊１００＝６１．５となる。
【００３３】
なお、１個間隔で欠落した場合は、連続して欠落した提示時刻情報数は１個であるため、９３．３と評価する。音声においても同様な考え方にて求める。説明を簡略化するため、図７では、映像の提示時刻情報のみを使用して図示している。
【００３４】
図７では、Ｔｍ＋１からＴｍ＋１５へ時間が経過するとともに、提示時刻情報の欠落数が少なくなっている。説明するポイントとして、Ｃ（Ｔｍ＋２）時点、Ｄ（Ｔｍ＋１３）時点をとりあげる。
【００３５】
Ｃ時点は、連続性評価値が、基準レベル３以下である。単位時間あたりほぼ全部の提示時刻情報が連続して取得できていない状態である。これは、受信手段１からメモリ２へ放送データの蓄積がほとんどできていない状態であることを示している。
【００３６】
Ｄ時点は、連続性評価値が、基準レベル１以上である。単位時間あたりほぼ全部の提示時刻情報が連続して取得できている状態である。これは、受信手段１からメモリ２への放送データの蓄積がほぼ完全に連続してできている状態であることを示している。
【００３７】
Ｃ時点のバー表示制御：
Ｓ５０１：時間Ｔｍ＋１−Ｔｍ＋２区間での連続性評価値を求める。
Ｓ５０２：メモリ２に記憶されている図６に示した閾値とＳ５０１にて求めた連続性評価値をメモリ２内に蓄積されている基準値を比較する。
Ｓ５０３：基準レベル１より下回っている。Ｓ５０４へ
Ｓ５０４：基準レベル２より下回っている。Ｓ５０５へ
Ｓ５０５：基準レベル３より下回っている。Ｓ５０６へ
Ｓ５０６：基準レベル４を満たしている。Ｓ５１３へ
Ｓ５１３：バー表示を０本とする。Ｓ５０８へ
Ｓ５０８：出力手段４：小型液晶表示上に図６に示した表示内容：バー０本を表示する。Ｓ５０９へ
Ｓ５０９：受信表示が継続されているため、Ｓ５０１に制御ループを戻す。
【００３８】
Ｄ時点のバー表示制御：
Ｓ５０１：時間Ｔｍ＋１２−Ｔｍ＋１３区間での連続性評価値を求める。
Ｓ５０２：メモリ２に記憶されている図６に示した閾値とＳ５０１にて求めた連続性評価値をメモリ２内に蓄積されている基準値を比較する。
Ｓ５０３：基準レベル１を満たしている。Ｓ５１０へ
Ｓ５１０：バー表示を３本とする。Ｓ５０８へ
Ｓ５０８：出力手段４：小型液晶表示上に図６に示した表示内容：バー３本を表示する。Ｓ５０９へ
Ｓ５０９：受信表示が継続されているため、Ｓ５０１に制御ループを戻す。
【００３９】
このように本発明によれば、従来のように電界強度により受信レベル表示した場合と比べ、出力手段４に映像・音声を出力している状況に応じて、受信レベルが表示されている。つまり、映像・音声の出力状態が悪い時は、受信レベルの表示も悪いことを示すことが可能となる。
【００４０】
なお、図６に示した閾値は、一例であり、装置の構成を踏まえ、他の閾値にて判断してもよい。また、ユーザに受信状態を、小型液晶にて知らせたが、スピーカーを用い音声にて知らせる、自装置の振動にて知らせる、発光にて知らせてもよい。
【００４１】
（実施の形態３）
本発明の実施の形態におけるディジタル放送受信装置は、新たに、受信手段１にて受信した放送データをメモリ２に記憶する前に、そのデータの誤りを検出する誤り検出手段を含むことを特徴とする。
【００４２】
誤り検出手段５を新たに構成に加えることにより、実施の形態１、２における判定手段３にて受信レベルの判定を行う際に、誤りデータを早期に排除できることから、放送データのデータ量の把握、また、連続性評価値を計算する際の提示時刻情報の有無の把握をより効率的に行える。このように本発明によれば、実施の形態１，２に示した判定方法をより効率的に行えることになり、本発明の効果をより高めることができる。
【００４３】
なお、実施の形態１，２に示した判定手段は、独立したものでなく、組み合わせても有効である。
【産業上の利用可能性】
【００４４】
以上のように、本発明の放送受信装置によれば、受信状態の変化を映像・音声出力状態の変化に呼応してユーザに提示することができるので、デジタル放送受信機や携帯電話端末、ＰＤＡ、ＰＨＳ受信装置等に適用可能である。
【図面の簡単な説明】
【００４５】
【図１】本発明の実施の形態１、２における放送受信装置の構成を示すブロック図
【図２】本発明の実施の形態１における、判定手段３にて受信レベルのバー表示数を決める判定フローを示したフローチャート
【図３】本発明の実施の形態１における、出力手段４にて表示する表示バー数とその意味、基準レベルとの対応示した模式図
【図４】本発明の実施の形態１における、メモリ２の蓄積された放送データ量と出力手段４での受信レベル表示バーの数を時系列的に示した模式図
【図５】本発明の実施の形態２における、判定手段３にて受信レベルのバー表示数を決める判定フローを示したフローチャート
【図６】本発明の実施の形態２における、出力手段４にて表示する表示バー数とその意味、基準レベルとの対応示した模式図
【図７】本発明の実施の形態２における、メモリ２の蓄積された放送データから取得した出力手段４への映像・音声の提示時刻情報の連続性評価値での受信レベル表示バーの数を時系列的に示した模式図
【図８】本発明の実施の形態３における放送受信装置の構成を示すブロック図
【図９】従来の携帯電話装置の構成を示すブロック図
【図１０】従来の携帯電話装置の出力手段４での表示例と、出力手段４にて表示する表示バー数とその意味、基準レベルとの対応示した模式図
【符号の説明】
【００４６】
１    受信手段
２    メモリ
３    判定手段
４    出力手段
５    誤り検出手段
【図１】
2006319862.tif 000003
【図２】
2006319862.tif 000004
【図３】
2006319862.tif 000005
【図４】
2006319862.tif 000006
【図５】
2006319862.tif 000007
【図６】
2006319862.tif 000008
【図７】
2006319862.tif 000009
【図８】
2006319862.tif 000010
【図９】
2006319862.tif 000011
【図１０】
2006319862.tif 000012